(57)【要約】 【課題】  容易に光軸調整および光軸の傾き調整することができるとともに、装置の組立に要する作業時間の短縮を図ることができるレーザーダイオードの光軸調整構造を提供する。【解決手段】  ハウジング１１と、ハウジング１１の一表面部１１ａに沿って移動可能に保持される受け台１５と、この受け台１５に傾動可能に保持され、かつレーザーダイオード１４を支持するレーザーダイオードホルダー１６と、ハウジング１１に、これら受け台１５およびレーザーダイオードホルダー１６を移動可能に押圧して保持する第１および第２押え板１７，１８とを備える。【選択図】      図１
2006041042.tif 000002
【特許請求の範囲】
【請求項１】
ハウジングと、
レーザーダイオードを支持可能なレーザーダイオード支持手段と、
ハウジングに、レーザーダイオード支持手段を移動可能に押圧して保持する押圧手段とを有することを特徴とするレーザーダイオードの光軸調整構造。
【請求項２】
レーザーダイオード支持手段は、ハウジングの一表面部に沿って移動可能に保持される受け台と、この受け台に傾動可能に保持され、かつレーザーダイオードを支持するレーザーダイオードホルダーとを備えることを特徴とする請求項１に記載のレーザーダイオードの光軸調整構造。
【請求項３】
レーザーダイオードホルダーには、受け台に臨む一曲面部および押圧手段に臨む他曲面部が形成され、これら一曲面部および他曲面部は、レーザーダイオードの発光点を略中心とする仮想球面に略沿って形成されていることを特徴とする請求項２に記載のレーザーダイオードの光軸調整構造。
【請求項４】
レーザーダイオードホルダーの一曲面部と他曲面部とは、曲率半径が異なることを特徴とする請求項３に記載のレーザーダイオードの光軸調整構造。
【請求項５】
レーザーダイオードホルダーの他曲面部は、一曲面部よりも曲率半径が大きくなるように形成されていることを特徴とする請求項３に記載のレーザーダイオードの光軸調整構造。
【請求項６】
受け台は、レーザーダイオードホルダーの一曲面部に臨む当接面が円錐面形状に形成されていることを特徴とする請求項３〜５のいずれか１つに記載のレーザーダイオードの光軸調整構造。
【請求項７】
ハウジングと、
キャップ部が部分球面状に形成されるレーザーダイオードと、
ハウジングに、前記キャップ部を介してレーザーダイオードを移動可能に押圧して保持する押圧手段とを有することを特徴とするレーザーダイオードの光軸調整構造。
【請求項８】
請求項１〜７のいずれか１つに記載のレーザーダイオードの光軸調整構造を備える光ピックアップ装置。
【発明の詳細な説明】
【技術分野】
【０００１】
本発明は、たとえば光ピックアップの光源として適用されるレーザーダイオードの光軸調整構造および光ピックアップ装置に関する。
【０００２】
本発明において、「略中心」は「中心」を含み、「仮想球面に略沿って」は「仮想球面に沿って」を含む。
【背景技術】
【０００３】
コンパクトディスク（略称ＣＤ：Compact Disk）およびデジタルバーサタイルディスク（略称ＤＶＤ：Digital Versatile Disk）およびブルーレイディスク（略称ＢＤ：Blu
Ray  Disk）などの記録媒体に対する情報の記録、再生、消去を行う光ピックアップ装置が実用に供されている。この光ピックアップ装置の光源として、レーザーダイオードが適用されている（たとえば特許文献１参照）。図７は、従来の光ピックアップ装置の光軸調整構造の要部を示す平面図であり、図８は、従来の光ピックアップ装置の光軸調整構造の要部を示す側面図である。
【０００４】
前記光ピックアップ装置は、ハウジング１、レーザーダイオード受け台２、ばね材から成る押え板３、レーザーダイオードホルダー４およびレーザーダイオード５を有する。レーザーダイオードホルダー４には、レーザーダイオード５が接着剤等を用いて固着されている。レーザーダイオードホルダー４に部分球面状の接触部（球面接触部と称す）が設けられる。レーザーダイオード受け台２には、前記球面接触部に当接する球面座が形成されている。
【０００５】
これらレーザーダイオードホルダー４とレーザーダイオード受け台２とは、４本のねじ６で固定される。４本のねじ６を締め付けたり弛めたりすることで、光軸を傾き調整している。レーザーダイオード受け台２は、押え板３によってハウジング１に対し移動可能に保持されている。これによってレーザーダイオード５の平面上の光軸を調整する。
【０００６】
【特許文献１】特開平５−８１６９３号公報
【発明の開示】
【発明が解決しようとする課題】
【０００７】
従来の光軸調整構造においては、前記平面上の光軸調整、光軸の傾き調整を順次行わなければならない。また光軸の傾き調整は、ねじ６の締め付けおよび弛めで調整自体に時間がかかっていた。したがって従来の光軸調整構造では、光軸調整および光軸の傾き調整を簡単に行うことができないうえ、装置の組立時間が長くなる。
【０００８】
本発明の目的は、容易に光軸調整および光軸の傾き調整することができるとともに、装置の組立に要する作業時間の短縮を図ることができるレーザーダイオードの光軸調整構造を提供することである。
【課題を解決するための手段】
【０００９】
本発明は、ハウジングと、
レーザーダイオードを支持可能なレーザーダイオード支持手段と、
ハウジングに、レーザーダイオード支持手段を移動可能に押圧して保持する押圧手段とを有することを特徴とするレーザーダイオードの光軸調整構造である。
【００１０】
本発明に従えば、光軸調整構造は、ハウジング、レーザーダイオード支持手段および押圧手段を有する。レーザーダイオード支持手段は、レーザーダイオードを支持可能になっている。押圧手段は、ハウジングに、レーザーダイオード支持手段を移動可能に押圧して保持する。レーザーダイオードおよびレーザーダイオード支持手段を移動すべきとき換言すれば調整すべきとき、次のような作用を奏する。レーザーダイオード支持手段は、押圧手段による押圧力でもって常にハウジングに押圧されているうえ、ハウジングに対し相対的に移動する。前記押圧力に影響を受けることなく、ハウジングに対してレーザーダイオード支持手段を所定小距離移動し得る。このようにレーザーダイオードを光軸調整する。
【００１１】
また本発明は、レーザーダイオード支持手段は、ハウジングの一表面部に沿って移動可能に保持される受け台と、この受け台に傾動可能に保持され、かつレーザーダイオードを支持するレーザーダイオードホルダーとを備えることを特徴とする。
【００１２】
本発明に従えば、レーザーダイオード支持手段は、受け台とレーザーダイオードホルダーとを備える。受け台は、ハウジングの一表面部に沿って移動可能に保持される。レーザーダイオードホルダーは、前記受け台に傾動可能に保持され、かつレーザーダイオードを支持する。これによってレーザーダイオードの光軸調整および光軸の傾き調整を行う。
【００１３】
また本発明は、レーザーダイオードホルダーには、受け台に臨む一曲面部および押圧手段に臨む他曲面部が形成され、これら一曲面部および他曲面部は、レーザーダイオードの発光点を略中心とする仮想球面に略沿って形成されていることを特徴とする。
【００１４】
本発明に従えば、レーザーダイオードホルダーには、一曲面部および他曲面部が形成されている。一曲面部および他曲面部は、前記発光点を略中心とする仮想球面に略沿って形成されている。前記一曲面部は受け台に臨み、前記他曲面部は押圧手段に臨む。他曲面部は押圧手段によって押圧されて保持され、一曲面部は受け台に当接して傾動する。
【００１５】
また本発明は、レーザーダイオードホルダーの一曲面部と他曲面部とは、曲率半径が異なることを特徴とする。
【００１６】
本発明に従えば、一曲面部の曲率半径と、他曲面部の曲率半径とが異なるので、次のような作用を奏する。受け台に臨む一曲面部の曲率半径を一定にし、押圧手段に臨む他曲面部の曲率半径を種々変更し、押圧手段およびレーザーダイオードに対し最適な他曲面部形状にすることができる。逆に他曲面部の曲率半径を一定にし、一曲面部の曲率半径を種々変更し、受け台に対し最適な一曲面部形状にすることができる。
【００１７】
また本発明は、レーザーダイオードホルダーの他曲面部は、一曲面部よりも曲率半径が大きくなるように形成されていることを特徴とする。
【００１８】
本発明に従えば、受け台に当接するレーザーダイオードホルダーの一曲面部の曲率半径を、他曲面部の曲率半径よりも小さくする。逆に言えば、他曲面部は、一曲面部よりも曲率半径が大きくなる。しかも前記他曲面部は、レーザーダイオードの大きさ等に基づいて曲率半径を決定する。他曲面部は一曲面部よりも曲率半径が大きくなるように形成されているので、光軸を傾き調整するとき、受け台に対し、レーザーダイオードホルダーを相対移動させる際の移動量を大きくすることができる。
【００１９】
また本発明は、受け台は、レーザーダイオードホルダーの一曲面部に臨む当接面が円錐面形状に形成されていることを特徴とする。
【００２０】
本発明に従えば、レーザーダイオードホルダーの一曲面部に臨む受け台の当接面を、円錐面形状に形成することで、次のような作用を奏する。前記受け台の円錐面部と、レーザーダイオードホルダーの一曲面部との間に隙間を形成することが可能となる。
【００２１】
また本発明は、ハウジングと、
キャップ部が部分球面状に形成されるレーザーダイオードと、
ハウジングに、前記キャップ部を介してレーザーダイオードを移動可能に押圧して保持する押圧手段とを有することを特徴とするレーザーダイオードの光軸調整構造である。
【００２２】
本発明に従えば、光軸調整構造は、ハウジング、レーザーダイオードおよび押圧手段を有する。レーザーダイオードのキャップ部は部分球面形状に形成される。押圧手段は、ハウジングに、前記キャップ部を介してレーザーダイオードを移動可能に押圧して保持する。レーザーダイオードを移動すべきとき換言すれば調整すべきとき、次のような作用を奏する。レーザーダイオードは、押圧手段による押圧力でもって常にハウジングに押圧されているうえ、キャップ部を介してハウジングに対し相対的に移動する。前記押圧力に影響を受けることなく、ハウジングに対してレーザーダイオードを所定小距離移動し得る。このようにレーザーダイオードを光軸調整する。
【００２３】
また本発明は、前記レーザーダイオードの光軸調整構造を備える光ピックアップ装置である。
【００２４】
本発明に従えば、このようなレーザーダイオードの光軸調整構造を備える光ピックアップ装置を実現することができる。この光ピックアップ装置に搭載されるレーザーダイオードは、従来構造より簡単な構造で容易に光軸調整および光軸の傾き調整することができ、組立に要する作業時間の短縮を図ることができる。
【発明の効果】
【００２５】
本発明によれば、押圧手段は、ハウジングに、レーザーダイオード支持手段を移動可能に押圧して保持する。レーザーダイオードおよびレーザーダイオード支持手段を移動すべきとき換言すれば調整すべきとき、次のような作用および効果を奏する。レーザーダイオード支持手段は、押圧手段による押圧力でもって常にハウジングに押圧されているうえ、ハウジングに対し相対的に移動する。前記押圧力に影響を受けることなく、ハウジングに対してレーザーダイオード支持手段を所定小距離移動し得る。このようにレーザーダイオードを、従来構造より簡単な構造で容易に光軸調整および光軸の傾き調整することができる。したがって従来技術のものより、装置の組立に要する作業時間の短縮を図ることができる。
【００２６】
また本発明によれば、受け台は、ハウジングの一表面部に沿って移動可能に保持される。レーザーダイオードホルダーは、前記受け台に傾動可能に保持され、かつレーザーダイオードを支持する。特にレーザーダイオードホルダーが受け台に傾動可能に保持されていることで、光軸調整を容易に行うことができる。このようにレーザーダイオードの光軸調整および光軸の傾き調整を行うことができる。このような簡単な構造で、容易に光軸調整および光軸の傾き調整することができる。
【００２７】
また本発明によれば、レーザーダイオードホルダーの一曲面部は受け台に臨み、反対側の他曲面部は押圧手段に臨む。他曲面部は押圧手段によって押圧されて保持され、一曲面部は受け台に当接して傾動する。このようにレーザーダイオードホルダーを受け台に当接した状態で、レーザーダイオードの光軸の傾き調整をすることができるうえ、その傾き調整後の状態を保持すべく押圧手段で押圧することができる。
【００２８】
また本発明によれば、一曲面部の曲率半径と、他曲面部の曲率半径とが異なるので、次のような効果を奏する。受け台に臨む一曲面部の曲率半径を一定にし、押圧手段に臨む他曲面部の曲率半径を種々変更し、押圧手段およびレーザーダイオードに対し最適な他曲面部形状にすることができる。逆に他曲面部の曲率半径を一定にし、一曲面部の曲率半径を種々変更し、受け台に対し最適な一曲面部形状にすることができる。したがって設計変更が容易になる。それ故、設計変更に伴う時間短縮を図り、製作コストの低減を図ることができる。
【００２９】
また本発明によれば、受け台に当接するレーザーダイオードホルダーの一曲面部の曲率半径を、他曲面部の曲率半径よりも小さくする。逆に言えば、他曲面部は、一曲面部よりも曲率半径が大きくなる。しかも前記他曲面部は、レーザーダイオードの大きさ等に基づいて曲率半径を決定する。他曲面部は一曲面部よりも曲率半径が大きくなるように形成されているので、光軸を傾き調整するとき、受け台に対し、レーザーダイオードホルダーを相対移動させる際の移動量を大きくすることができる。光軸の傾き角を調整するのに要するレーザーダイオードホルダーの相対移動量を大きくすることができる。これによって、光軸の微小な傾き調整を容易にかつ迅速に行うことができる。
【００３０】
また本発明によれば、レーザーダイオードホルダーの一曲面部に臨む受け台の当接面を、円錐面形状に形成することで、次のような効果を奏する。前記受け台の円錐面部と、レーザーダイオードホルダーの一曲面部との間に隙間を形成することが可能となる。この隙間に接着剤を塗布し硬化することで、レーザーダイオードホルダーを受け台に強固に固定することが可能となる。
【００３１】
また本発明によれば、押圧手段は、ハウジングに、前記キャップ部を介してレーザーダイオードを移動可能に押圧して保持する。レーザーダイオードを移動すべきとき換言すれば調整すべきとき、次のような作用および効果を奏する。レーザーダイオードは、押圧手段による押圧力でもって常にハウジングに押圧されているうえ、キャップ部を介してハウジングに対し相対的に移動する。前記押圧力に影響を受けることなく、ハウジングに対してレーザーダイオードを所定小距離移動し得る。特にレーザーダイオードを、そのキャップ部を介してハウジングに対し相対的にかつ直接的に移動することができるので、従来技術のものより部品点数を格段に低減することができる。その他請求項１と同様の効果を奏する。
【００３２】
また本発明によれば、このようなレーザーダイオードの光軸調整構造を備える光ピックアップ装置を実現することができる。この光ピックアップ装置に搭載されるレーザーダイオードは、従来構造より簡単な構造で容易に光軸調整および光軸の傾き調整することができ、組立に要する作業時間の短縮を図ることができるので、次のような効果を奏する。光ピックアップ装置全体の組立および光軸調整時間の短縮を図ることができるうえ、従来のものより高品質の光ピックアップ装置を実現することができる。
【発明を実施するための最良の形態】
【００３３】
図１は、本発明の第１の実施形態に係る光ピックアップ装置１０を、光軸Ｌ１を含む仮想平面で切断して見た要部の断面図である。図２は、第１の実施形態に係る光ピックアップ装置１０の要部の平面図である。図３は、ハウジング１１と、レーザーダイオード支持手段１２と、押圧手段１３との関係を示す側面図である。第１の実施形態に係る光ピックアップ装置１０（第１ピックアップ装置１０と称す）は、コンパクトディスク（略称ＣＤ：Compact Disk）およびデジタルバーサタイルディスク（略称ＤＶＤ：Digital
Versatile Disk）およびブルーレイディスク（略称ＢＤ：Blu  Ray  Disk）などの記録媒体に対して、レーザーダイオードの光を照射してその記録面に情報を記録する、あるいは記録媒体の記録面に書き込まれた情報を再生する装置に適用される。
【００３４】
第１ピックアップ装置１０は、光源としてのレーザーダイオード１４、光軸調整構造、光学系、アクチュエータおよび受光素子を備えている。前記光軸調整構造は、レーザーダイオード１４の光軸Ｌ１を調整する構造であり、主に、ハウジング１１と、レーザーダイオードホルダー受け台１５と、レーザーダイオードホルダー１６と、第１および第２押え板１７，１８を含む押圧手段とを有する。レーザーダイオードホルダー受け台１５は、「受け台」と同義である。
【００３５】
ハウジング１１には、少なくともレーザーダイオード１４からの光路を確保すべく、孔部が形成されている。ハウジング１１には、このハウジング１１の一表面部１１ａに沿って受け台１５が、一対の第１押え板１７によって移動可能に保持されている。これら第１押え板１７は、図１，２において矢符ｘにて表記するｘ方向に所定距離離隔して配設される。各第１押え板１７は、弾性変形可能なばね材から成り、その一端部がねじ１９によってハウジング１１に固定されるとともに各第１押え板１７の他端部が受け台１５を押圧して保持するようになっている。各第１押え板１７のｘ方向中間付近部は、これら一端部および他端部に対して直角に、かつ受け台１５の厚み分曲げ形成されている。
【００３６】
第１押え板１７の他端部はｘ方向に切欠き形成され、前記他端部が後述する第２押え板１８固定用のねじ２０に干渉しないようになっている。換言すれば、受け台１５は、一対の第１押え板１７の他端部によってハウジング１１に押圧されて保持された状態で、ハウジング１１の一表面部１１ａに沿って移動可能になっている。前記ｘ方向は、第１ピックアップ装置１０の厚み方向に垂直な方向で、かつ前記一表面部１１ａに沿った方向と同義である。受け台１５のｘ方向中間付近部には、ハウジング１１の孔部に連なる受け台孔部が形成され光路が確保される。
【００３７】
前記受け台１５に傾動可能に保持され、かつレーザーダイオード１４を支持するレーザーダイオードホルダー１６が設けられている。これら受け台１５およびレーザーダイオードホルダー１６が、レーザーダイオード支持手段に相当する。つまり受け台１５およびレーザーダイオードホルダー１６によって、レーザーダイオード１４を支持可能になっている。レーザーダイオードホルダー１６には、受け台１５に臨む受け台側球面凸部１６ａが形成されているうえ、第２押え板１８に臨む押え板側球面凸部１６ｂが形成されている。受け台側球面凸部１６ａが一曲面部に相当し、押え板側球面凸部１６ｂが他曲面部に相当する。これら受け台側球面凸部１６ａおよび押え板側球面凸部１６ｂは、レーザーダイオード１４の発光点を略中心とする仮想球面に略沿って形成されている。受け台側球面凸部１６ａと押え板側球面凸部１６ｂとは、曲率半径が異なるように形成されている。具体的には、押え板側球面凸部１６ｂは、受け台側球面凸部１６ａよりも曲率半径が大きくなるように形成されている。
【００３８】
受け台１５には、受け台側球面凸部１６ａに当接する球面凹部１５ａが形成されている。受け台側球面凸部１６ａと球面凹部１５ａとは、摺動可能に構成される。ハウジング１１に一体化された受け台１５には、一対の第２押え板１８がそれぞれねじ２０によって固定されている。これら第２押え板１８は、ｘ方向にやや離隔して配設される。各第２押え板１８は、弾性変形可能なばね材から成り、その一端部が前記ねじ２０によって受け台１５に固定されるとともに、他端部がレーザーダイオードホルダー１６の押え板側球面凸部１６ｂを押圧して保持するようになっている。これら第２押え板１８の押圧力によって、レーザーダイオードホルダー１６は、ハウジング１１および受け台１５に傾動可能に保持される。
【００３９】
レーザーダイオード１４を一表面部１１ａに沿って光軸調整するときは、レーザーダイオードホルダー１６を光軸調整機の図示外のキャッチャーで掴み、受け台１５、第２押え板１８、レーザーダイオードホルダー１６およびレーザーダイオード１４が、第１押え板１７によってハウジング１１に保持された状態でハウジング１１に対して相対的に移動する。レーザーダイオード１４の光軸Ｌ１を傾き調整するときは、このままの状態（前記光軸調整直後の状態）から前記光軸調整機のキャッチャーによって、レーザーダイオード１４の発光点を中心とする回転力を付与する。レーザーダイオードホルダー１６およびレーザーダイオード１４は、第２押え板１８によって受け台１５つまりハウジング１１に保持された状態で、レーザーダイオードホルダー１６の受け台側球面凸部１６ａと受け台１５の球面凹部１５ａとが摺動する。これによってレーザーダイオード１４の光軸Ｌ１の傾きを調整する。調整完了後、キャッチャーによる掴みを解除しても、第１および第２押え板１７，１８によって、レーザーダイオードホルダー１６および受け台１５は、調整後の姿勢を保持する。この調整後の姿勢を保持した状態で、後工程である接着工程に移行し得る。なお前記接着工程において、接着剤を用いてレーザーダイオードホルダー１６を受け台１５に強固に固定する。
【００４０】
以上説明した光軸調整構造によれば、第１および第２押え板１７，１８は、ハウジング１１に、レーザーダイオード支持手段１２を移動可能に押圧して保持する。レーザーダイオード１４およびレーザーダイオード支持手段１２を移動すべきとき換言すれば調整すべきとき、次のような作用および効果を奏する。レーザーダイオード支持手段１２は、第１および第２押え板１７，１８による押圧力でもって常にハウジング１１に押圧されているうえ、ハウジング１１に対し相対的に移動する。前記押圧力による影響を受けることなく、ハウジング１１に対してレーザーダイオード支持手段１２を所定小距離移動し得る。このようにレーザーダイオード１４を、従来構造より簡単な構造で容易に光軸調整および光軸の傾き調整することができる。したがって従来技術のものより、装置の組立に要する作業時間の短縮を図ることができる。
【００４１】
またレーザーダイオードホルダー１６の受け台側球面凸部１６ａは、受け台１５に臨み、反対側の押え板側球面凸部１６ｂは第２押え板１８に臨む。押え板側球面凸部１６ｂは、第２押え板１８によって押圧されて保持され、受け台側球面凸部１６ａは受け台１５の球面凹部１５ａに当接して傾動する。このようにレーザーダイオードホルダー１６を受け台１５に当接した状態で、レーザーダイオード１４の光軸Ｌ１の傾き調整をすることができるうえ、その傾き調整後の状態を保持すべく押圧手段で押圧することができる。
【００４２】
レーザーダイオードホルダー１６において、受け台側球面凸部１６ａの曲率半径と、押え板側球面凸部１６ｂの曲率半径とが異なるので、次のような効果を奏する。受け台１５に臨む受け台側球面凸部１６ａの曲率半径を一定にし、第２押え板１８に臨む押え板側球面凸部１６ｂの曲率半径を種々変更し、受け台１５に対し最適な一球面形状にすることができる。したがって設計変更が容易になる。それ故、設計変更に伴う時間短縮を図り、製作コストの低減を図ることができる。押え板側球面凸部１６ｂの曲率半径を、受け台側球面凸部１６ａの曲率半径よりも大きくなるように形成されている場合には、光軸Ｌ１を傾き調整するとき、受け台１５に対し、レーザーダイオードホルダー１６を相対移動させる際の移動量を大きくすることができる。光軸Ｌ１の傾き角を調整するのに要するレーザーダイオードホルダー１６の相対移動量を大きくすることができる。これによって、光軸Ｌ１の微小な傾き調整を容易にかつ迅速に行うことができる。
【００４３】
図４は、本発明の第２の実施形態に係る光ピックアップ装置１０Ａを、光軸Ｌ１を含む仮想平面で切断して見た要部の断面図である。図５は、当接面が円錐面形状に形成された受け台１５Ａの要部を拡大して示す断面図である。ただし第１の実施形態と同一の部材には同一の符号を付し、その詳細な説明は省略する。第２の実施形態に係る光ピックアップ装置１０Ａの光軸調整構造において、受け台１５Ａは、レーザーダイオードホルダー１６の受け台側球面凸部１６ａに臨む当接面が円錐面形状に形成されている。これによって、受け台１５Ａの円錐面部１５ｂと、レーザーダイオードホルダー１６の受け台側球面凸部１６ａとの間に隙間δを形成することが可能となる。この隙間δに接着剤を塗布し硬化することで、レーザーダイオードホルダー１６を受け台１５Ａに強固に固定することが可能となる。
【００４４】
図６は、本発明の第３の実施形態に係る光ピックアップ装置１０Ｂを、光軸Ｌ１を含む仮想平面で切断して見た要部の断面図である。第３の実施形態に係る光ピックアップ装置１０Ｂにおいては、レーザーダイオード２１の光軸調整構造は、ハウジング１１と、レーザーダイオード２１と、レーザーダイオードホルダー２３と、押圧手段としての第１および第３押え板１７，２２とを有する。レーザーダイオード２１のキャップ部２１ａは部分球面形状に形成される。第３押え板２２は、ハウジング１１に一体化されたレーザーダイオードホルダー２３に、前記キャップ部２１ａを介してレーザーダイオード２１を移動可能に押圧して保持する。レーザーダイオード２１を移動すべきとき換言すれば調整すべきとき、次のような作用および効果を奏する。レーザーダイオード２１は、第３押え板２２による押圧力でもって常にハウジング１１に押圧されているうえ、キャップ部２１ａを介してハウジング１１に対し相対的に移動する。前記押圧力に影響を受けることなく、ハウジング１１に対してレーザーダイオード２１を所定小距離移動し得る。このようにレーザーダイオード２１を光軸調整する。特にレーザーダイオード２１を、そのキャップ部２１ａを介してハウジング１１に対し相対的にかつ直接的に移動することができるので、従来技術のものより部品点数を格段に低減することができる。その他第１の実施形態と同様の効果を奏する。
【００４５】
本発明の実施の他の形態として、受け台側球面凸部と押え板側球面凸部とは、曲率半径が同一となるように形成してもよい。第１の実施形態とは逆に、受け台側球面凸部の曲率半径を、押え板側球面凸部の曲率半径よりも大きくすることも可能である。
【図面の簡単な説明】
【００４６】
【図１】本発明の第１の実施形態に係る光ピックアップ装置１０を、光軸Ｌ１を含む仮想平面で切断して見た要部の断面図である。
【図２】第１の実施形態に係る光ピックアップ装置１０の要部の平面図である。
【図３】ハウジング１１と、レーザーダイオード支持手段１２と、押圧手段１３との関係を示す側面図である。
【図４】本発明の第２の実施形態に係る光ピックアップ装置１０Ａを、光軸Ｌ１を含む仮想平面で切断して見た要部の断面図である。
【図５】当接面が円錐面形状に形成された受け台１５Ａの要部を拡大して示す断面図である。
【図６】本発明の第３の実施形態に係る光ピックアップ装置１０Ｂを、光軸Ｌ１を含む仮想平面で切断して見た要部の断面図である。
【図７】従来の光ピックアップ装置の光軸調整構造の要部を示す平面図である。
【図８】従来の光ピックアップ装置の光軸調整構造の要部を示す側面図である。
【符号の説明】
【００４７】
１０  光ピックアップ装置
１１  ハウジング
１２  レーザーダイオード支持手段
１３  押圧手段
１４  レーザーダイオード
１５  受け台
１６  レーザーダイオードホルダー
１６ａ  受け台側球面凸部
１６ｂ  押え板側球面凸部
１７，１８  第１および第２押え板
【図１】
2006041042.tif 000003
【図２】
2006041042.tif 000004
【図３】
2006041042.tif 000005
【図４】
2006041042.tif 000006
【図５】
2006041042.tif 000007
【図６】
2006041042.tif 000008
【図７】
2006041042.tif 000009
【図８】
2006041042.tif 000010